(57)【要約】【課題】組み込み作業の工程を増やすことなく、着脱される転動輪の組み込み作業性を向上させ得る円筒ころ軸受を提供する。【解決手段】この円筒ころ軸受１０は、複数の円筒ころ３を保持した保持器４が外輪１に組み込まれた状態である外輪組立体８に内輪２が着脱されるものであり、保持器４は、複数のポケット７を仕切る複数の柱部５と、複数の柱部５の端部を両側でそれぞれ繋ぐ二つの円環部６Ａ、６Ｂとを有し、各ポケット７は、各ポケット７を仕切る柱部５の内側面に、円筒ころ３の軸線よりも径方向の内側の位置から各ポケット７に保持される円筒ころ３の側に向けて張り出す一対の突起部２０を有し、一対の突起部２０は、二つの円環部６Ａ、６Ｂのうち一方側にオフセットした位置に設けられている。【選択図】図１
2017040302.tif 000002
【特許請求の範囲】
【請求項１】
内周面に軌道面を有する外輪と、外周面に軌道面を有する内輪と、前記外輪の軌道面と前記内輪の軌道面との間に転動自在に介装される複数の円筒ころと、周方向に所定間隔で配置された複数のポケット内に前記複数の円筒ころを保持する保持器とを備え、
前記複数の円筒ころを保持した前記保持器が前記外輪に組み込まれた状態である外輪組立体に前記内輪が着脱される円筒ころ軸受であって、
前記保持器は、前記複数のポケットを仕切る複数の柱部と、該複数の柱部の端部を両側でそれぞれ繋ぐ二つの円環部とを有し、
各ポケットは、各ポケットを仕切る前記柱部の内側面に、前記円筒ころの軸線よりもころ径方向の内側の位置から各ポケットに保持される円筒ころの側に向けて張り出して当該円筒ころをころ径方向の両側で支える一対の突起部を有し、該一対の突起部は、軸受軸線を水平にした姿勢において、前記外輪組立体に対し前記内輪が抜けているときに、鉛直方向上側に位置する前記円筒ころの軸線を当該突起部側を高くして支えるように、前記二つの円環部のうち一方側にオフセットした位置に設けられていることを特徴とする円筒ころ軸受。
【請求項２】
内周面に軌道面を有する外輪と、外周面に軌道面を有する内輪と、前記外輪の軌道面と前記内輪の軌道面との間に転動自在に介装される複数の円筒ころと、前記複数の円筒ころを周方向に所定間隔で配置された複数のポケット内に保持する保持器とを備え、
前記複数の円筒ころを保持した前記保持器が前記内輪に組み込まれた状態である内輪組立体に前記外輪が着脱される円筒ころ軸受であって、
前記保持器は、前記複数のポケットを仕切る複数の柱部と、該複数の柱部の端部を両側でそれぞれ繋ぐ二つの円環部とを有し、
各ポケットは、各ポケットを仕切る前記柱部の内側面に、前記円筒ころの軸線よりもころ径方向の外側の位置から各ポケットに保持される円筒ころの側に向けて張り出して当該円筒ころをころ径方向の両側で支える一対の突起部を有し、該一対の突起部は、軸受軸線を水平にした姿勢において、前記内輪組立体に対して前記外輪が抜けているときに、鉛直方向下側に位置する前記円筒ころの軸線を当該突起部側を高くして支えるように、前記二つの円環部のうち一方側にオフセットした位置に設けられていることを特徴とする円筒ころ軸受。
【発明の詳細な説明】
【技術分野】
【０００１】
本発明は、保持器を有する円筒ころ軸受に関する。
【背景技術】
【０００２】
この種の円筒ころ軸受において、組立性を向上するために、内輪又は外輪のうちの一方の転動輪を分離可能とし、他方の転動輪は、円筒ころおよび保持器に一体の組立体にした円筒ころ軸受が用いられている。具体的には、外輪・円筒ころ・保持器が一体とされた外輪組立体に、内輪が着脱されるタイプ（以下、「内輪分離型」ともいう）と、内輪・円筒ころ・保持器が一体とされた内輪組立体に、外輪が着脱されるタイプ（以下、「外輪分離型」ともいう）とがある。
一方の転動輪を分離可能としたこの種の円筒ころ軸受において、軸受軸線を水平に配置した状態で、着脱できる転動輪を組立体に組み込む際に、円筒ころが重力に引かれて落ちることにより、主に上下方向で対向する円筒ころ同士の間隔が狭くなり、着脱される転動輪の組み込み作業が行い難くなるという問題がある。
【０００３】
この組み込み作業を容易にすべく、治具を用いて円筒ころの芯出しを行ったり、着脱できる転動輪にテーパー状のスリーブを装着して、予め円筒ころに傾きを与えたりする方策も考えられる。しかし、このような方策では、組み込み作業の工程が増えるという問題がある。
ここで、特許文献１には、組立体の軸線が鉛直線上に配置される状態とした場合でも、円筒ころがその軸受軸線に対して倒れるのを防止する目的で、保持器の内径側の２箇所にころ落ち止め部を設け、円筒ころの軸線の倒れを防止して、着脱できる転動輪の組み付け性を向上させようとする技術が開示されている。
【先行技術文献】
【特許文献】
【０００４】
【特許文献１】特開２００９−２５０４１２号公報（段落００１５）
【発明の概要】
【発明が解決しようとする課題】
【０００５】
しかしながら、同文献記載の技術では、円筒ころを保持器に組み込む際に、円筒ころ落ち止め部により支えることで円筒ころの軸線の倒れを防止し、円筒ころの姿勢を安定させようとするものの、円筒ころと保持器のポケットとの間には隙間があるため、同文献に記載されるような円筒ころ落ち止め部を設けたとしても、軸受軸線を立てた姿勢で円筒ころの軸線を軸受軸線と並行に保持することは困難である。そのため、同文献記載の技術であっても、着脱される転動輪の組み込み作業性を向上させる上で検討の余地がある。
そこで、本発明は、このような問題点に着目してなされたものであって、組み込み作業の工程を増やすことなく、着脱される転動輪の組み込み作業性を向上させ得る円筒ころ軸受を提供することを課題とする。
【課題を解決するための手段】
【０００６】
上記課題を解決するために、本発明の第一の態様に係る円筒ころ軸受は、内周面に軌道面を有する外輪と、外周面に軌道面を有する内輪と、前記外輪の軌道面と前記内輪の軌道面との間に転動自在に介装される複数の円筒ころと、周方向に所定間隔で配置された複数のポケット内に前記複数の円筒ころを保持する保持器とを備え、前記複数の円筒ころを保持した前記保持器が前記外輪に組み込まれた状態である外輪組立体に前記内輪が着脱される円筒ころ軸受であって、前記保持器は、前記複数のポケットを仕切る複数の柱部と、該複数の柱部の端部を両側でそれぞれ繋ぐ二つの円環部とを有し、各ポケットは、各ポケットを仕切る前記柱部の内側面に、前記円筒ころの軸線よりもころ径方向の内側の位置から各ポケットに保持される円筒ころの側に向けて張り出して当該円筒ころをころ径方向の両側で支える一対の突起部を有し、該一対の突起部は、軸受軸線を水平にした姿勢において、前記外輪組立体に対し前記内輪が抜けているときに、鉛直方向上側に位置する前記円筒ころの軸線を当該突起部側を高くして支えるように、前記二つの円環部のうち一方側にオフセットした位置に設けられていることを特徴とする。
【０００７】
本発明の第一の態様に係る円筒ころ軸受によれば、保持器の柱部に、円筒ころの軸線よりもころ径方向の内側の位置から各ポケットに保持される円筒ころの側に向けて張り出して当該円筒ころをころ径方向の両側で支える一対の突起部を有し、一対の突起部は、軸受軸線を水平にした姿勢において、外輪組立体に対し内輪が抜けているときに、鉛直方向上側に位置する円筒ころの軸線を当該突起部側を高くして支えるように、二つの円環部のうち一方側にオフセットした位置に設けられているので、内輪が抜けているときの円筒ころの落ち量は、一対の突起部を設けていない側が、一対の突起部を設けた側に比べて落ち量が大きくなる。
【０００８】
そのため、円筒ころに傾きが生じて、テーパー状のスリーブを装着した場合と同様に、挿入側の間口を広げることができる。そのため、軸受軸線を水平に配置した状態で、内輪を外輪組立体に組み込む際に内輪を挿入し易くなる。よって、組み込み作業の工程を増やすことなく、着脱される内輪の組み込み作業性を向上させることができる。
また、保持器の柱部の全域に亘って突起部を設けて、円筒ころの落ち量を減らそうとした場合に、円筒ころを保持器に挿入する場合に比べて、保持器の柱部の片側のみに一対の突起部を設ける場合は、円筒ころを嵌め込み時のモーメントを大きくすることができるので、保持器への円筒ころの挿入が容易である。
【０００９】
また、上記課題を解決するために、本発明の第二の態様に係る円筒ころ軸受は、内周面に軌道面を有する外輪と、外周面に軌道面を有する内輪と、前記外輪の軌道面と前記内輪の軌道面との間に転動自在に介装される複数の円筒ころと、前記複数の円筒ころを周方向に所定間隔で配置された複数のポケット内に保持する保持器とを備え、前記複数の円筒ころを保持した前記保持器が前記内輪に組み込まれた状態である内輪組立体に前記外輪が着脱される円筒ころ軸受であって、前記保持器は、前記複数のポケットを仕切る複数の柱部と、該複数の柱部の端部を両側でそれぞれ繋ぐ二つの円環部とを有し、各ポケットは、各ポケットを仕切る前記柱部の内側面に、前記円筒ころの軸線よりもころ径方向の外側の位置から各ポケットに保持される円筒ころの側に向けて張り出して当該円筒ころをころ径方向の両側で支える一対の突起部を有し、該一対の突起部は、軸受軸線を水平にした姿勢において、前記内輪組立体に対して前記外輪が抜けているときに、鉛直方向下側に位置する前記円筒ころの軸線を当該突起部側を高くして支えるように、前記二つの円環部のうち一方側にオフセットした位置に設けられていることを特徴とする。
【００１０】
本発明の第二の態様に係る円筒ころ軸受によれば、保持器の柱部に、円筒ころの軸線よりもころ径方向の外側の位置から各ポケットに保持される円筒ころの側に向けて張り出して当該円筒ころをころ径方向の両側で支える一対の突起部を有し、一対の突起部は、軸受軸線を水平にした姿勢において、内輪組立体に対し外輪が抜けているときに、鉛直方向下側に位置する円筒ころの軸線を当該突起部側を高くして支えるように、二つの円環部のうち一方側にオフセットした位置に設けられているので、外輪が抜けているときの円筒ころの落ち量は、一対の突起部を設けていない側が、一対の突起部を設けた側に比べて落ち量が大きくなる。
【００１１】
そのため、円筒ころに傾きが生じて、テーパー状のスリーブを装着した場合と同様に、挿入側の間口を広げることができる。そのため、軸受軸線を水平に配置した状態で、外輪を内輪組立体に組み込む際に外輪を挿入し易くなる。よって、組み込み作業の工程を増やすことなく、着脱される外輪の組み込み作業性を向上させることができる。
また、保持器の柱部の全域に亘って突起部を設けて、円筒ころの落ち量を減らそうとした場合に、円筒ころを保持器に挿入する場合に比べて、保持器の柱部の片側のみに一対の突起部を設ける場合は、円筒ころを嵌め込み時のモーメントを大きくすることができるので、保持器への円筒ころの挿入が容易である。
【００１２】
ここで、本発明の第一の態様に係る円筒ころ軸受を組み立てる方法としては、第一の態様に係る円筒ころ軸受を用い、軸受軸線を水平に配置した状態で、二つの円環部のうちいずれか一方の円環部に対して前記一対の突起部をオフセットした側から、前記内輪を前記外輪組立体に組み込む。
上記組立方法によれば、第一の態様に係る円筒ころ軸受を用い、軸受軸線を水平に配置した状態で、二つの円環部のうちいずれか一方の円環部に対して一対の突起部をオフセットした側から、内輪を外輪組立体に組み込むので、円筒ころに傾きが生じて間口が広い側から、内輪を外輪組立体に組み込むことができる。よって、組み込み作業の工程を増やすことなく、着脱される内輪の組み込み作業性を向上させることができる。
【００１３】
また、本発明の第二の態様に係る円筒ころ軸受を組み立てる方法としては、第二の態様に係る円筒ころ軸受を用い、軸受軸線を水平に配置した状態で、二つの円環部のうちいずれか一方の円環部に対して前記一対の突起部をオフセットした側から、前記外輪を前記内輪組立体に組み込む。
上記組立方法によれば、第二の態様に係る円筒ころ軸受を用い、軸受の軸線を水平に配置した状態で、二つの円環部のうちいずれか一方の円環部に対して一対の突起部をオフセットした側から、外輪を内輪組立体に組み込むので、円筒ころに傾きが生じて間口が狭い側から、外輪を内輪組立体に組み込むことができる。よって、組み込み作業の工程を増やすことなく、着脱される外輪の組み込み作業性を向上させることができる。
【発明の効果】
【００１４】
上述のように、本発明によれば、組み込み作業の工程を増やすことなく、着脱される転動輪の組み込み作業性を向上させることができる。
【図面の簡単な説明】
【００１５】
【図１】本発明の一態様に係る円筒ころ軸受の第一実施形態（内輪分離型）を説明する断面図であり、同図は、内輪が外輪組立体に組み込まれている組立状態であって、軸線を含む縦断面を模式的に示している。
【図２】保持器を説明する斜視図であり、同図（ａ）は円環部を水平にした姿勢の保持器全体を上方から見た図を示し、（ｂ）は（ａ）のＡ部を拡大して示している。
【図３】保持器を説明する図であり、同図は図２（ｂ）でのＺ−Ｚ断面を示す。
【図４】図１の内輪分離型の円筒ころ軸受から内輪が抜けている分離状態を模式的に示している。
【図５】本発明の一態様に係る円筒ころ軸受の第二実施形態（外輪分離型）を説明する断面図であり、同図は、外輪が内輪組立体に組み込まれている組立状態であって、軸線を含む縦断面を模式的に示している。
【図６】図５の外輪分離型の円筒ころ軸受から外輪が抜けている分離状態を模式的に示している。
【発明を実施するための形態】
【００１６】
以下、本発明の一実施形態について、図面を適宜参照しつつ説明する。なお、図面は模式的なものであり、特に、図２（ａ）の斜視図以外は、理解を容易にするために誇張して表現している。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１７】
［第一実施形態］
第一実施形態は、内輪分離型の円筒ころ軸受、つまり、複数の円筒ころを保持した保持器が外輪に組み込まれた状態である外輪組立体に、内輪が着脱される円筒ころ軸受の例である。
図１に示すように、この円筒ころ軸受１０は、内面に軌道面１ｋを有する円環状の外輪１と、外面に軌道面２ｋを有する円環状の内輪２と、内輪２の軌道面２ｋと外輪１の軌道面１ｋとの間に転動自在に介装される円筒状の複数の円筒ころ３と、内輪２と外輪１との間に配置されて円筒ころ３を周方向に所定間隔で保持する保持器４とを備える。外輪１の内面には、軸方向両端部に鍔部１ｔが設けられ、両端の鍔部１ｔ間に軌道面１ｋが形成されている。内輪２には鍔が設けられていない。
【００１８】
保持器４は、自己潤滑性を有する黄銅や合成樹脂等の自己潤滑材料を用い、切削加工や、プレス加工、ダイカストなどで形成される。保持器４は、図２に示すように、軸方向両端部に配置される一対の円環部６Ａ，６Ｂと、周方向に所定間隔を隔てて配置されて一対の円環部６Ａ，６Ｂを連結する複数の柱部５とを有する。周方向で隣合う柱部５間に、各円筒ころ３をそれぞれ保持する複数のポケット７が画成される。
各ポケット７は、図２および図３に示すように、各ポケット７を仕切る柱部５の内側面に、一対の突起部２０を有する。図１に示すように、一対の突起部２０は、当該円筒ころ３を、ころ径方向の両側で支えるように、円筒ころ３の軸線ＣＫよりも径方向の内側の位置から各ポケット７に保持される円筒ころ３の側に向けて張り出している。
【００１９】
そして、この一対の突起部２０は、図４に示すように、軸受軸線ＣＬを水平にした姿勢において、外輪組立体８に対し内輪２が抜けているときに、鉛直方向上側に位置する円筒ころ３の軸線ＣＫを、突起部２０側が高くなるように、一対の円環部６Ａ，６Ｂのうち一方側（この例では、円環部６Ａの側）にオフセットした位置に設けられている。
なお、本実施形態では、図２（ａ）に示すように、一対の円環部６Ａ，６Ｂのうち、突起部２０が設けられている側（同図では上側）とは反対側（同図では下側）となる円環部６Ｂの内周面には、隣合う柱部５間の位置それぞれに、凹の円弧形状のくびれ部２１が形成されている。
【００２０】
次に、上記第一実施形態の円筒ころ軸受１０の組み立て方法について説明する。
この円筒ころ軸受１０は、外輪１の内面の軸方向両端部に鍔部１ｔが設けられ、鍔部１ｔ間に軌道面１ｋが設けられているため、まず、外輪１、円筒ころ３および保持器４を組み付けて図４に示した外輪組立体８を構成する。
外輪組立体８の組み付けは、外輪１に保持器４を内嵌し、その状態で、保持器４の各ポケット７に内径側から円筒ころ３を組み込む。ここで、本実施形態では、突起部２０とは反対側の円環部６Ｂの内周面に凹の円弧形状のくびれ部２１が形成されているので、作業者は、円筒ころ３の組み込み側となる円環部６Ｂを容易に目視で判断することができる。また、円環部６Ｂの凹の円弧形状のくびれ部２１が、円筒ころ３を組み込む際の間口を広げているので、各ポケット７への円筒ころ３の組み込み作業性が一層向上する。
【００２１】
各ポケット７への円筒ころ３の組み込みは、各ポケット７の内径側から左右の一対の突起部２０に円筒ころ３を押し当て、左右の突起部２０を周方向に弾性変形させることにより、左右に押し広げつつ保持器４の外径側に向けて円筒ころ３を押し込むことにより挿入する。これにより、円筒ころ３がポケット７内に収容される。円筒ころ３の収容後は、一対の突起部２０が円筒ころ３をころ径方向の両側で支えるため、突起部２０が落ち止め部として機能することによって、ポケット７から内径方向への円筒ころ３の抜け出しが防止される。
【００２２】
その後、図１に示すように、外輪組立体８に内輪２を挿入する。内輪２の挿入時には、外輪組立体８の軸線を水平状態とする。軸受軸線ＣＬを水平に配置した状態で、二つの円環部６Ａ、６Ｂのうち、一対の突起部２０をオフセットした一方の円環部６Ａ側から、内輪２を外輪組立体８に組み込む。
ここで、この円筒ころ軸受１０によれば、保持器４の柱部５に、円筒ころ３の軸線よりも径方向の内側の位置から各ポケット７に保持される円筒ころ３の側に向けて張り出す複数の突起部２０の全てを、二つの円環部６Ａ、６Ｂのうち一方の円環部６Ａに対してオフセットした位置に設けたので、図４に示すように、内輪２が抜けているとき、円筒ころ３の落ち量は、二つの円環部６Ａ、６Ｂのうち、突起部２０に近い円環部６Ａ側では、鉛直方向上側の円筒ころ３が突起部２０に接触することにより、その接触位置で円筒ころ３の落ちが止まるのに対し、突起部２０に遠い反対の円環部６Ｂ側では、円筒ころ３の落ち量が大きくなる。
【００２３】
これにより、鉛直方向上側の円筒ころ３は、落ち込み時の円筒ころ３の姿勢が、突起部２０に近い側が高くなるとともに突起部２０に遠い側が低くなる傾きが生じる。よって、テーパー状のスリーブを装着した場合と同様の効果が生じ、挿入側Ｓの間口を広げることができる。そのため、軸受軸線ＣＬを水平に配置した状態で、外輪組立体８に内輪２を組み込む際に、内輪２を挿入し易くなる。よって、この円筒ころ軸受１０によれば、組み込み作業の工程を増やすことなく、着脱される内輪２の組み込み作業性を向上させることができる。
【００２４】
ここで、保持器の柱部の全域に亘って突起部を設けて、円筒ころ３の落ち量を減らそうとした場合に、円筒ころを保持器に挿入する場合に比べて、この円筒ころ軸受１０のように、保持器４の柱部５の片側のみにオフセットした突起部２０を設ける場合は、円筒ころ３をポケット７に嵌め込み時のモーメントを大きくすることができるので、保持器４への円筒ころ３の挿入が容易である。
このように、この円筒ころ軸受１０では、外輪組立体８の軸受軸線ＣＬを水平に配置した状態とし、挿入側Ｓの間口を広げるように、意図的に円筒ころ３の姿勢を傾倒させることにより、外輪組立体８に対して内輪２を挿入する際、円筒ころ３が挿入の邪魔をせず、円滑に内輪２を外輪組立体８に組み込むことができ、組み込み作業性を向上させることができるのである。
【００２５】
［第二実施形態］
次に、第二実施形態について説明する。第二実施形態は、外輪分離型の円筒ころ軸受、つまり、内輪に複数の円筒ころを保持した保持器が組み込まれた状態の内輪組立体に、外輪が着脱される円筒ころ軸受の例である。なお、上記第一実施形態と同一または対応する構成については同一の符号を用いるとともにその説明を適宜省略する。
図５に示すように、第二実施形態の円筒ころ軸受１０は、内面に軌道面１ｋを有する円環状の外輪１と、外面に軌道面２ｋを有する円環状の内輪２と、内輪２の軌道面２ｋと外輪１の軌道面１ｋとの間に転動自在に介装される円筒状の複数の円筒ころ３と、内輪２と外輪１との間に配置されて円筒ころ３を周方向に所定間隔で保持する保持器４とを備える。内輪２の外面には、軸方向両端部に鍔２ｔが設けられ、この鍔２ｔ間に軌道面２ｋが形成されている。外輪１には鍔が設けられていない。
【００２６】
保持器４は、軸方向両端部に配置される一対の円環部６Ａ，６Ｂと、周方向に所定間隔を隔てて配置されて一対の円環部６Ａ，６Ｂを連結する複数の柱部５とを有する。周方向で隣合う柱部５間に、各円筒ころ３をそれぞれ保持する複数のポケット７が形成されている。
各ポケット７は、各ポケット７を仕切る柱部５の内側面に、円筒ころ３の軸線ＣＫよりも径方向の外側の位置から各ポケット７に保持される円筒ころ３の側に向けて張り出して、当該円筒ころ３をころ径方向の両側で支える一対の突起部２０を有する。
この一対の突起部２０は、軸受軸線ＣＬを水平にした姿勢において、図６に示すように、内輪組立体９に対し外輪１が抜けているときに、鉛直方向下側に位置する円筒ころ３の軸線ＣＫを当該突起部２０側が高くなるように、一対の円環部６Ａ，６Ｂのうち一方側（この例では、円環部６Ａ側）にオフセットした位置に設けられている。
【００２７】
次に、上記第二実施形態の円筒ころ軸受１０の組み立て方法について説明する。
この円筒ころ軸受１０は、内輪２の外面の軸方向両端部に鍔部２ｔが設けられ、鍔部２ｔ間に軌道面２ｋが設けられているため、まず、内輪２、円筒ころ３および保持器４を組み付けて図６に示した内輪組立体９を構成する。
内輪組立体９の組み付けは、内輪２に保持器４を外嵌し、その状態で、保持器４の各ポケット７に外径側から円筒ころ３を組み込む。各ポケット７への円筒ころ３の組み込みは、各ポケット７の外径側から左右の一対の突起部２０に円筒ころ３を押し当て、左右の突起部２０を周方向に弾性変形させることにより、左右に押し広げつつ保持器４の内径側に向けて円筒ころ３を押し込むことにより挿入する。これにより、円筒ころ３がポケット７内に収容される。円筒ころ３の収容後は、突起部２０が円筒ころ３をころ径方向の両側で支えるため、突起部２０が落ち止め部として機能することによって、ポケット７から外径方向への円筒ころ３の抜け出しが防止される。
【００２８】
その後、図５に示すように、内輪組立体９に外輪１を挿入する。外輪１の挿入時には、内輪組立体９の軸受軸線ＣＬを水平状態とする。軸受軸線ＣＬを水平に配置した状態で、二つの円環部６Ａ、６Ｂのうち、一対の突起部２０をオフセットした一方の円環部６Ａ側から、外輪１を内輪組立体９に組み込む。
ここで、この円筒ころ軸受１０によれば、保持器４の柱部５に、円筒ころ３の軸線ＣＫよりも径方向の外側の位置から各ポケット７に保持される円筒ころ３の側に向けて張り出す複数の突起部２０の全てを、二つの円環部６Ａ、６Ｂのうち一方の円環部６Ａに対してオフセットした位置に設けたので、外輪１が抜けているとき、図６に示すように、円筒ころ３の落ち量は、二つの円環部６Ａ、６Ｂのうち、突起部２０に近い円環部６Ａ側では、鉛直方向下側の円筒ころ３が突起部２０に接触することにより、その接触位置で円筒ころ３の落ちが止まるのに対し、突起部２０に遠い反対の円環部６Ｂ側では、円筒ころ３の落ち量が大きくなる。
【００２９】
これにより、鉛直方向下側の円筒ころ３は、落ち込み時の円筒ころ３の姿勢が、突起部２０に近い側が高くなるとともに突起部２０に遠い側が低くなる傾きが生じる。よって、テーパー状のスリーブを装着した場合と同様の効果が生じ、挿入側Ｓの間口を狭めることができる。そのため、軸受軸線ＣＬを水平に配置した状態で、内輪組立体９に外輪１を組み込む際に、外輪１を挿入し易くなる。よって、この円筒ころ軸受１０によれば、組み込み作業の工程を増やすことなく、着脱される外輪１の組み込み作業性を向上させることができる。
【００３０】
ここで、保持器の柱部の全域に亘って突起部を設けて、円筒ころの落ち量を減らそうとした場合に、円筒ころを保持器に挿入する場合に比べて、この円筒ころ軸受１０のように、保持器４の柱部５の片側のみにオフセットした突起部２０を設ける場合は、円筒ころ３を嵌め込み時のモーメントを大きくすることができるので、保持器４への円筒ころ３の挿入が容易である。
このように、この円筒ころ軸受１０では、内輪組立体９の軸受軸線ＣＬを水平に配置した状態とし、挿入側Ｓの間口を狭めるように、意図的に円筒ころ３の姿勢を傾倒させることにより、内輪組立体９に対して外輪１を挿入する際、円筒ころ３が挿入の邪魔をせず、円滑に外輪１を内輪組立体９に組み込むことができ、組み込み作業性を向上させることができる。
【００３１】
以上説明したように、上述した第一および第二実施形態の円筒ころ軸受１０およびその組立方法によれば、組み込み作業の工程を増やすことなく、着脱される転動輪の組み込み作業性を向上させることができる。なお、本発明に係る円筒ころ軸受は、上記実施形態に限定されるものではなく、本発明の趣旨を逸脱しなければ種々の変形が可能なことは勿論である。
【符号の説明】
【００３２】
１    外輪
２    内輪
３    円筒ころ
４    保持器
５    柱部
６Ａ、６Ｂ    円環部
７    ポケット
８    外輪組立体
９    内輪組立体
１０    円筒ころ軸受
２０    突起部
２１    くびれ部
【図１】
2017040302.tif 000003
【図２】
2017040302.tif 000004
【図３】
2017040302.tif 000005
【図４】
2017040302.tif 000006
【図５】
2017040302.tif 000007
【図６】
2017040302.tif 000008